(57)【要約】【課題】アコースティック・ドラムにより近い演奏感覚を得ることができる電子バスドラムを提供する。【解決手段】電子バスドラム１００は、筒状に形成されたシェル１０３の一方の端部にメッシュ状のシート体からなるヘッド１０１が張られているとともに、シェル１０３の内部にヘッド１０１に対向した状態で板状の内部支持ベース１１０が設けられている。内部支持ベース１１０には、緩衝体１１２および振動センサ１１４がそれぞれ設けられている。緩衝体１１２は、ヘッド１０１におけるビーター１３１によって叩打される叩打部分ＡＰの周囲を囲む環状に形成された平面視で円状の板状体で構成されてヘッド１０１を押圧している。この緩衝体１１２には、ヘッド１０１における叩打部分ＡＰから離れた位置に配置される振動センサ１１４を囲むことができるとともに、この振動センサ１１４に接しない大きさの円形に逃げ孔１１３が形成されている。【選択図】  図３
2018084674.tif 000002
【特許請求の範囲】
【請求項１】
演奏者によって叩かれる打面を構成するヘッドと、
前記演奏者によるペダルの操作を介して前記打面を叩くビーターを有した叩打機構と、
前記打面の裏面側に同打面における前記ビーターが叩く叩打部分の周囲を囲んで配置された緩衝体と、
前記ヘッドの振動を検出する振動センサとを備えたことを特徴とする電子バスドラム。
【請求項２】
請求項１に記載した前記電子バスドラムにおいて、
前記振動センサは、
前記打面における前記叩打部分の外側でかつ前記緩衝体の内側に配置されていることを特徴とする電子バスドラム。
【請求項３】
請求項１または請求項２に記載した前記電子バスドラムにおいて、
前記緩衝体は、
前記叩打部分を囲む内縁部が円環状に形成されていることを特徴とする電子バスドラム。
【請求項４】
請求項１ないし請求項３のうちのいずれか１つに記載した前記電子バスドラムにおいて、
前記緩衝体は、
前記ヘッドの形成方向における肉厚が２０ｍｍ以上であることを特徴とする電子バスドラム。
【請求項５】
請求項４に記載した前記電子バスドラムにおいて、
前記緩衝体は、
前記ヘッドの形成方向における肉厚が１００ｍｍ以下であることを特徴とする電子バスドラム。
【請求項６】
請求項１ないし請求項５のうちのいずれか１つに記載した前記電子バスドラムにおいて、
前記緩衝体は、
前記ヘッドの外縁部を支持する筒状のシェルの内周部に対して非接触であることを特徴とする電子バスドラム。
【請求項７】
請求項１ないし請求項６のうちのいずれか１つに記載した前記電子バスドラムにおいて、
前記緩衝体は、
反発弾性率が５０％以下の弾性体で構成されていることを特徴とする電子バスドラム。
【発明の詳細な説明】
【技術分野】
【０００１】
本発明は、演奏者によるペダル操作によって揺動するビーターで打面を叩くことにより打面の振動を電気的に検出して発音する電子バスドラムに関する。
【背景技術】
【０００２】
従来から、演奏者によるペダル操作によって揺動するビーターで打面を叩くことにより打面の振動を電気的に検出して発音する電子バスドラムがある。例えば、下記特許文献１には、ヘッドにおけるビーターによって叩かれる叩打部分の裏面側に弾性体からなる緩衝体材を配置するとともにその外側にヘッドの振動を検出する打撃センサを配置することによってアコースティック・バスドラムの演奏感覚に近付けた電子バスドラムが開示されている。
【先行技術文献】
【特許文献】
【０００３】
【特許文献１】特開平１１−２１２５６６号公報
【０００４】
しかしながら、上記特許文献１に記載された電子バスドラムにおいては、ヘッドのビーターによる叩打部分の裏側に緩衝材が配置されているため、ビーターによってヘッドを叩打した際にアコースティック・バスドラムの膜状の打面（鼓面）を叩くという叩打感が得られず、演奏感覚として違和感が残り不十分であるという問題がある。
【０００５】
本発明は上記問題に対処するためなされたもので、その目的は、アコースティック・ドラムにより近い演奏感覚を得ることができる電子バスドラムを提供することにある。
【発明の概要】
【０００６】
上記目的を達成するため、本発明の特徴は、演奏者によって叩かれる打面を構成するヘッドと、演奏者によるペダルの操作を介して打面を叩くビーターを有した叩打機構と、打面の裏面側に同打面におけるビーターが叩く叩打部分の周囲を囲んで配置された緩衝体と、ヘッドの振動を検出する振動センサとを備えたことにある。
【０００７】
このように構成した本発明の特徴によれば、電子バスドラムは、打面におけるビーターで叩かれる叩打部分の周囲が緩衝体で支持されて叩打部分の裏側は空洞で叩打部分自体は直接裏面側から支持されていないため、演奏者はアコースティック・ドラムにより近い演奏感覚で演奏することができる。
【０００８】
また、本発明の他の特徴は、前記電子バスドラムにおいて、振動センサは、打面における叩打部分の外側でかつ緩衝体の内側に配置されていることにある。
【０００９】
このように構成した本発明の他の特徴によれば、電子バスドラムは、振動センサが打面における叩打部分の外側でかつ緩衝体の内側に配置されているため、ビーターによって叩打されたヘッドの振動を精度良く検出することができる。
【００１０】
この場合、従来の電子バスドラムにおいては、ビーターによる叩打部分の裏側に緩衝材が配置されるとともにこの緩衝材を介して打撃センサがヘッドの振動を検出するため、ヘッドの振動が打撃センサに伝搬する際に緩衝材によって減衰または遅延するとともにヘッドへの弱い叩打による振動が検出できないことがあった。このため、従来の電子バスドラムにおいては、演奏者の演奏操作に忠実な発音がなされず演奏感に違和感が生じることがあるという問題があった。
【００１１】
しかし、本発明に係る電子バスドラムによれば、打面におけるビーターで叩かれる叩打部分自体は直接裏面側から支持されていないため、弱い叩打でもヘッドを振動させることができるとともに、ヘッドの振動を緩衝体を介することなく直接振動センサに伝搬させることができ、演奏者はアコースティック・ドラムにより近い演奏感覚で演奏することができるとともに演奏者の叩打操作に対してより忠実な発音を可能にすることができる。
【００１２】
また、本発明の他の特徴は、前記電子バスドラムにおいて、緩衝体は、叩打部分を囲む内縁部が円環状に形成されていることにある。
【００１３】
このように構成した本発明の他の特徴によれば、電子バスドラムは、緩衝体における叩打部分を囲む内縁部が円環状に形成されているため、ヘッドにおける叩打部分を中心として放射状に伝搬する振動を均等に伝搬、吸収または反射させることができヘッドを伝搬する振動に偏り（ムラ）が生じることを防止することができる。
【００１４】
また、本発明の他の特徴は、前記電子バスドラムにおいて、緩衝体は、ヘッドの形成方向における肉厚が２０ｍｍ以上であることにある。
【００１５】
このように構成した本発明の他の特徴によれば、電子バスドラムは、緩衝体がヘッドの形成方向における肉厚が２０ｍｍ以上で形成されているため、本発明者の実験によればヘッドを安定的に支持することができるとともにヘッドを伝搬する振動を効果的に減衰させることができる。
【００１６】
また、本発明の他の特徴は、前記電子バスドラムにおいて、緩衝体は、ヘッドの形成方向における肉厚が１００ｍｍ以下であることにある。
【００１７】
このように構成した本発明の他の特徴によれば、電子バスドラムは、緩衝体がヘッドの形成方向における肉厚が１００ｍｍ以下であるため、ヘッドを安定的に支持することができるとともにヘッドを伝搬する振動を効果的に減衰させつつ電子バスドラムの構成を簡単化および軽量化することができる。また、緩衝体を樹脂発泡材で構成した場合においては、成形性が向上するため、ヘッドに対する面圧を安定化させることができ生産性を向上させることができる。
【００１８】
また、本発明の他の特徴は、前記電子バスドラムにおいて、緩衝体は、ヘッドの外縁部を支持する筒状のシェルの内周部に対して非接触であることにある。
【００１９】
このように構成した本発明の他の特徴によれば、電子バスドラムは、緩衝体がヘッドの外縁部を支持する筒状のシェルの内周部に対して非接触であるため、緩衝体の弾性変形を阻害しないとともに緩衝体のヘッドへの擦れによる摩耗を防止することができる。また、電子バスドラムは、ヘッドを伝搬した振動がシェルで反射することを防止することができ、叩打による振動を精度良く検出することもできる。
【００２０】
また、本発明の他の特徴は、前記電子バスドラムにおいて、緩衝体は、反発弾性率が５０％以下の弾性体で構成されていることにある。
【００２１】
このように構成した本発明の他の特徴によれば、電子バスドラムは、緩衝体が反発弾性率が５０％以下の弾性体で構成されているため、ヘッドにアコースティック・ドラムのヘッドに近い弾性を与えることができる。この場合、緩衝体の反発弾性率は、１０％以上の弾性体で構成するとい。
【００２２】
なお、反発弾性率は、所定質量、高さの落下物を試験片に衝突させた際の物体の落下時の高さに対する跳ね返り後の高さの比のことであり、この数値（Ｒ％）が小さいほど反発が小さく、大きいほど反発が大きいことを意味する。
【図面の簡単な説明】
【００２３】
【図１】本発明の一実施形態に係る電子バスドラムの外観構成の概略を示す斜視図である。
【図２】図１に示した電子バスドラムにおいてヘッド、フープおよび叩打機構をそれぞれ省略して示した斜視図である。
【図３】図１に示す電子バスドラムの内部構成の概略を示す断面図である。
【図４】本発明の変形例に係る電子バスドラムの内部構成の概略を示す断面図である。
【図５】図４に示す電子バスドラムにおいてヘッド、フープおよび叩打機構をそれぞれ省略して示した正面図である。
【図６】本発明の他の変形例に係る電子バスドラムの内部構成の概略を示す断面図である。
【図７】本発明の他の変形例に係る電子バスドラムの内部構成の概略を示す断面図である。
【発明を実施するための形態】
【００２４】
以下、本発明に係る電子バスドラムの一実施形態について図面を参照しながら説明する。図１は、本発明に係る電子バスドラム１００の外観構成の概略を示した斜視図である。また、図２は、図１に示した電子バスドラム１００においてヘッド１０１、フープ１０５および叩打機構１３０をそれぞれ省略して示した斜視図である。また、図３は、図１に示す電子バスドラム１００の内部構成の概略を示す断面図である。なお、本明細書において参照する図は、本発明の理解を容易にするために一部の構成要素を誇張して表わすなど模式的に表している。このため、各構成要素間の寸法や比率などは異なっていることがある。この電子バスドラム１００は、演奏者（図示せず）によるペダル操作によってビーター１３１がヘッドの打面１０１ａの叩打した際の振動を検出して電子的な楽音を発生させる電子打楽器である。
【００２５】
（電子バスドラム１００の構成）
電子バスドラム１００は、ヘッド１０１を備えている。ヘッド１０１は、演奏者によって操作される後述するビーター１３１によって叩かれることで振動および弾性変形する部品であり、布材または樹脂材をシート状または薄板状に形成して構成されている。具体的には、ヘッド１０１は、透明または半透明の樹脂製のシート材または薄板材、またはメッシュ状に形成した布材または樹脂材で構成されている。本実施形態においては、ヘッド１０１は、メッシュ状のシート体を平面視で円形に形成して構成されている。このヘッド１０１は、外縁部がヘッド枠１０２によって保持されている。
【００２６】
ヘッド枠１０２は、ヘッド１０１をシェル１０３上にテンションを張った状態で配置するために部品であり、金属材または樹脂材を環状に形成して構成されている。このヘッド枠１０２は、ヘッド１０１の外縁部を保持した状態でシェル１０３の外周部に嵌合し他状態で環状の上面がフープ１０５によって押さえられている。
【００２７】
シェル１０３は、ヘッド１０１、緩衝体１１２および振動センサ１１４をそれぞれ支持する部品であり、金属材、樹脂材または木材を円筒状に形成して構成されている。このシェル１０３は、一方（図示上側）の端部がヘッド１０１によって閉塞されているとともに、他方（図示下側）の端部がシェルカバー１０４によって閉塞されている。これにより、ヘッド１０１は、シェル１０３の外側に露出する面が打面１０１ａを構成するとともにシェル１０３の内側に面する面が裏面１０１ｂを構成する。
【００２８】
シェルカバー１０４は、シェル１０３におけるヘッド１０１側とは反対側を覆うための部品であり、布材または樹脂材をシート状または薄板状に形成して構成されている。本実施形態においては、シェルカバー１０４は、ヘッド１０１と同様に、メッシュ状のシート体を平面視で円形に形成して構成されている。
【００２９】
フープ１０５は、ヘッド枠１０２の上面を押してヘッド１０１をシェル１０３上で張るための部品であり、金属材を段付きの円筒状に形成して構成されている。このフープ１０５は、一方（図示上側）の端部がヘッド１０１が張られたシェル１０３の上端部から張り出すとともに、他方（図示下側）の端部側が径方向外側に張り出した後、ヘッド枠１０２の下端部から張り出す円筒状に形成されている。そして、フープ１０５は、前記他方の端部側におけり径方向外側に張り出した部分がテンションボルト１０６を介してラグ１０７に取り付けられている。
【００３０】
テンションボルト１０６は、フープ１０５をヘッド枠１０２の上面に押さえ付けるための部品であり、金属製の軸体の外周部に雄ネジが形成されたボルトで構成されている。このテンションボルト１０６は、フープ１０５における外径が張り出した部分を貫通した状態でラグ１０７の雌ネジに締め付けられている。これにより、ヘッド１０１は、ヘッド枠１０２がラグ１０７側に引っ張られることによりシェル１０３の端部に押し付けられて平らな膜状に張られた状態となる。一方、シェル１０３の内部には、内部支持ベース１１０が設けられている。
【００３１】
内部支持ベース１１０は、シェル１０３の内部において緩衝体１１２および振動センサ１１４をそれぞれ支持するための部品であり、金属製（例えば、鋼板）または樹脂製の板状体を正面視で円形に形成して構成されている。この場合、内部支持ベース１１０は、シェル１０３の内径と略同一の外径に形成されてシェル１０３の内周面に直接取り付けられてもよいが、本実施形態においてはシェル１０３の内周面に接触することのないシェル１０３の内径よりも十分に小さい外径に形成されてシェル１０３の内周面から張り出したベース支持具１１１によって間接的に支持されている。
【００３２】
緩衝体１１２は、ヘッド１０１を裏面１０１ｂ側から弾性的に押圧して支持する部品であり、ヘッド１０１におけるビーター１３１によって叩打される叩打部分ＡＰの周囲を囲む環状に形成されている。より具体的には、緩衝体１１２は、シェル１０３の内周面に接しない大きさでかつヘッド１０１の略全面を覆う正面視で円形の板状に形成されているとともに、その内側部分に逃げ孔１１３を有して構成されている。
【００３３】
この場合、ヘッド１０１の略全面を覆う緩衝体１１２の大きさとは、シェル１０３の内径の８割以上の外径を有する大きさである。また、逃げ孔１１３は、ビーター１３１によって叩打されることを避ける部分であり、ヘッド１０１における叩打部分ＡＰよりも大きな内径の円形の貫通孔によって構成されている。本実施形態においては、逃げ孔１１３は、ヘッド１０１における叩打部分ＡＰから離れた位置に配置される振動センサ１１４を囲むことができるとともに、この振動センサ１１４に接しない大きさの円形に形成されている。
【００３４】
そして、この逃げ孔１１３は、ヘッド１０１における叩打部分ＡＰに対向する位置に逃げ孔１１３の中心部分が位置するように緩衝体１１２に形成されている。これにより、ヘッド１０１における叩打部分ＡＰの裏面側には、逃げ孔１１３によって空洞部１１３ａが形成される。なお、図１においては、叩打部分ＡＰを破線で示している。
【００３５】
この緩衝体１１２は、ビーター１３１によるヘッド１０１の叩打によって弾性変形可能な樹脂材またはゴム材などの弾性材で構成されている。本実施形態においては、緩衝体１１２は、反発弾性率が５０％以下の低反発ウレタン発泡材によって構成されている。この場合、緩衝体１１２は、少なくともビーター１３１によって叩打されるヘッド１０１の凹み量よりも厚い厚さで形成される。この場合、緩衝体１１２の厚さは、２０ｍｍ以上に設定するとよい。そして、この緩衝体１１２は、ヘッド１０１の裏面１０１ｂへの接触を維持できる程度の押圧力で押圧した状態で内部支持ベース１１０上に図示しない接着剤または両面テープなどによって取り付けられている。
【００３６】
振動センサ１１４は、ヘッド１０１の振動を検出する検出器であり、ヘッド１０１の振動に応じた電気信号を外部に設けられる図示しない音源に出力する。本実施形態においては、振動センサ１１４は、ピエゾ素子によって構成されているが、光センサなど他の検出素子を用いることもできる。この振動センサ１１４は、クッション体１１５を介してヘッド１０１の裏面１０１ｂを押圧した状態で支持テーブル１１６上に図示しない両面テープまたは接着剤などによって固着されている。
【００３７】
クッション体１１５は、ヘッド１０１の振動から振動センサ１１４を保護しつつ振動を精度良く振動センサ１１４に伝達するための部品であり、ゴム材または弾性を有する樹脂材を円錐台形状に形成して構成されている。この場合、クッション体１１５は、小径の先端部がヘッド１０１の裏面１０１ｂに押圧されているとともに大径の下面部分に振動センサ１１４が図示しない両面テープまたは接着剤を介して取り付けられている。また、クッション体１１５は、振動センサ１１４のヘッド１０１への追従性を向上させるため、緩衝体１１２よりも反発弾性率が高い材料で構成するとよい。
【００３８】
支持テーブル１１６は、クッション体１１５を介してヘッド１０１に接触する振動センサ１１４を支持するための部品であり、振動センサ１１４を支持する平板状の支持板１１６ａと内部支持ベース１１０に対して支持板１１６ａを接近または離隔可能に支持する調整ボルト１１６ｂとで構成されている。この支持テーブル１１６は、内部支持ベース１１０上における緩衝体１１２の逃げ孔１１３内に設けられている。すなわち、振動センサ１１４は、緩衝体１１２の逃げ孔１１３の内側領域である空洞部１１３ａ内に設けられている。
【００３９】
なお、音源は、電子バスドラム１００とは別体で設けられるマイクロコンピュータによって構成されており、振動センサ１１４から出力される検出信号に基づいて楽音信号を出力する電子回路である。
【００４０】
シェル１０３は、支持脚１２０および叩打機構１３０によってそれぞれ支持されている。支持脚１２０は、ヘッド１０１およびシェルカバー１０４をそれぞれ垂直方向に起立させた姿勢のシェル１０３を支持するための部品であり、シェル１０３の両側面からシェルカバー１０４側にそれぞれ延びる金属製の棒体で構成されている。
【００４１】
叩打機構１３０は、ヘッド１０１を叩打するための機械装置であり、主として、ビーター１３１、揺動支持体１３２およびペダル１３３を備えて構成されている。ビーター１３１は、ヘッド１０１の打面１０１ａを叩打する部品であり、樹脂製の心材の外周面をフェルトで覆った円柱体で構成されている。このビーター１３１は、側面部分から棒状に延びるアーム１３１ａを介して揺動支持体１３２によって支持されている。なお、ビーター１３１は、樹脂材、金属材、布材および木材をそれぞれ単体でまたはこれらの材料を適宜組み合わせて構成されるものであり、本実施形態に限定されるものではない。
【００４２】
揺動支持体１３２は、ビーター１３１をヘッド１０１に対して叩打または離隔させる方向に揺動可能に支持するための部品であり、アーム１３１ａを保持して水平方向に延びる揺動軸１３２ａと、この揺動軸１３２ａの両端部をそれぞれ回転自在に支持する支持柱１３２ｂとを備えて構成されている。ペダル１３３は、演奏者の足による踏み込み操作によってビーター１３１を揺動させるための部品であり、演奏者の足を載せることができる大きさの金属製の板状体で構成されている。このペダル１３３は、一方の端部が電子バスドラム１００が設置される設置面上に配置されるベース板１３３ａに回転自在に支持されるとともに他方の端部がベルト１３３ｂを介してビーター１３１のアーム１３１ａと揺動軸１３２ａとの取付部分に連結されている。
【００４３】
（電子バスドラム１００の作動）
次に、このように構成した電子バスドラム１００の作動について説明する。まず、演奏者は、電子バスドラム１００、図示しない音源および外部スピーカをそれぞれ用意した後、電子バスドラム１００と音源とを電気的に接続するとともに、この音源と外部スピーカとを電気的に接続する。次いで、演奏者は、音源を操作して電源をＯＮするとともに演奏を行なえる演奏モードに設定する。これにより、電子バスドラム１００は、音源を介してスピーカから楽音を出力可能な状態となる。
【００４４】
次に、演奏者は、電子バスドラム１００の演奏を行う。具体的には、演奏者は、叩打機構１３０におけるペダル１３３を操作することによりビーター１３１をヘッド１０１の打面１０１ａに叩打させる。この場合、電子バスドラム１００は、ヘッド１０１における叩打部分ＡＰがヘッド枠１０２に加えて緩衝体１１２による張力のみによって支持されているため、演奏者に対してアコースティック・バスドラムに近い叩打感を与えることができるとともに、ビーター１３１による弱い叩打によってもヘッド１０１を振動させることができる。なお、図３においては、ビーター１３１がヘッド１０１を叩打した状態を二点鎖線で示している。
【００４５】
また、この場合、電子バスドラム１００は、緩衝体１１２の逃げ孔１１３の内側に叩打部分ＡＰと振動センサ１１４とがそれぞれ設けられているため、ヘッド１０１に生じた振動が直接クッション体１１５を介して振動センサ１１４に伝達される。このため、電子バスドラム１００は、ヘッド１０１に生じた振動の減衰を抑えながら振動センサ１１４に検出させることができる。また、電子バスドラム１００は、振動センサ１１４の外側に緩衝体１１２が設けられているため、ヘッド１０１における叩打部分ＡＰに生じた振動がシェル１０３に伝搬することおよびシェル１０３から伝搬する振動が振動センサ１１４に伝達されることを効果的に防止することができる。
【００４６】
一方、振動センサ１１４は、ヘッド１０１の振動に応じた電気信号を音源に出力する。これにより、音源は、振動センサ１１４から出力される検出信号に基づいて楽音を表す楽音信号を生成するとともに、この楽音信号を外部スピーカに出力する。この結果、電子バスドラム１００は、演奏者の演奏操作に応じた楽音を外部スピーカから出力することができる。
【００４７】
上記作動説明からも理解できるように、上記実施形態によれば、電子バスドラム１００は、打面１０１ａにおけるビーター１３１で叩かれる叩打部分ＡＰの周囲が緩衝体１１２で支持されて叩打部分ＡＰ自体は張力のみによって支持されて直接裏面側から支持されていないため、演奏者はアコースティック・ドラムにより近い演奏感覚で演奏することができる。
【００４８】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４９】
例えば、上記実施形態においては、緩衝体１１２は、ヘッド１０１の略全面を覆う正面視で円形の板状に形成した。しかし、緩衝体１１２は、打面１０１ａの裏面側に同打面１０１ａにおける叩打部分ＡＰの周囲を囲んで配置されていればよい。したがって、緩衝体１１２は、例えば、図４および図５にそれぞれ示すように、正面視でリング状に形成することができる。
【００５０】
この場合、緩衝体１１２は、本発明者の実験によれば、ヘッド１０１の形成方向の厚さｔを２０ｍｍ以上に形成することにより、ヘッド１０１における叩打部分ＡＰの周囲を好適な張力で支持することができる。また、この場合、緩衝体１１２は、ヘッド１０１の形成方向の厚さｔを１００ｍｍ以下に形成することにより、ヘッド１０１を安定的に支持しつつヘッド１０１を伝搬する振動を効果的に減衰させることができるとともに、電子バスドラム１００の構成を簡単化および軽量化することができる。なお、図４においては、ビーター１３１がヘッド１０１を叩打した状態を二点鎖線で示している。
【００５１】
また、上記実施形態および上記変形例においては、緩衝体１１２における逃げ孔１１３をヘッド１０１における正面視で上方側に偏った位置に配置した。しかし、逃げ孔１１３は、ヘッド１０１における叩打部分ＡＰに対応した位置に配置されるものであり、必ずしも上記実施形態および上記変形例に限定されるものではない。したがって、逃げ孔１１３は、ヘッド１０１における正面視で中央部分に配置することができることは当然である。
【００５２】
また、上記実施形態および上記変形例においては、逃げ孔１１３は、逃げ孔１１３の中心位置をヘッド１０１における叩打部分ＡＰに位置させて配置した。しかし、逃げ孔１１３は、逃げ孔１１３の中心位置をヘッド１０１における叩打部分ＡＰ以外の位置に位置させて配置することもできる。
【００５３】
また、上記実施形態および上記変形例においては、緩衝体１１２を正面視でそれぞれ円形に形成した。しかし、緩衝体１１２は、正面視でそれぞれ円形以外の形状、例えば、三角形、方形、五角形または六角形などの多角形または楕円形に形成することもできる。
【００５４】
また、上記実施形態および上記変形例においては、緩衝体１１２は、シェル１０３の内周面に対して非接触で構成した。これにより、電子バスドラムは、緩衝体１１２の弾性変形を阻害しないとともに緩衝体１１２のヘッド１０１への擦れによる摩耗を防止することができる。また、電子バスドラム１００は、ヘッド１０１を伝搬した振動がシェル１０３で反射することを防止することができ、叩打による振動を精度良く検出することもできる。しかし、緩衝体１１２は、シェル１０３の内周面に対して接触するように構成することもできる。これによれば、シェル１０３の振動を減衰することができる。
【００５５】
また、上記実施形態および上記変形例においては、緩衝体１１２は、反発弾性率が５０％以下の低反発性のウレタン発泡材で構成した。しかし、緩衝体１１２は、ヘッド１０１の裏面１０１ｂに対して弾性的に接触する材料で構成されていればよい。したがって、緩衝体１１２は、反発弾性率が５０％以上の弾性体、またはウレタン発泡材以外の材料（例えば、シリコン樹脂、ポリプロピレン樹脂、ゴム材）などを用いることができる。
【００５６】
また、上記実施形態および上記変形例においては、緩衝体１１２における内縁部を円献上に形成、すなわち、逃げ孔１１３を正面視でそれぞれ円形に形成した。しかし、逃げ孔１１３は、正面視でそれぞれ円形以外の形状、例えば、三角形、方形、五角形または六角形などの多角形または楕円形に形成することもできる。
【００５７】
また、上記実施形態および上記変形例においては、振動センサ１１４は、逃げ孔１１３の内側に配置した。しかし、振動センサ１１４は、例えば、図６に示すように、逃げ孔１１３の外側に配置することもできる。なお、この場合、緩衝体１１２をヘッド１０１の略全面を覆う大きさで形成した場合においては、緩衝体１１２における逃げ孔１１３以外の場所に振動センサ１１４を配置するための貫通孔を設けるとよい。なお、図６においては、ビーター１３１がヘッド１０１を叩打した状態を二点鎖線で示している。
【００５８】
また、上記実施形態および上記変形例においては、緩衝体１１２は、ヘッド１０１に接触する内縁部を直角に形成した。しかし、緩衝体１１２は、例えば、図７に示すように、ヘッド１０１に面する内縁部を傾斜面状（または円弧状）に面取りして形成することができる。これによれば、電子バスドラム１００は、緩衝体１１２のヘッド１０１への引っ掛かりを防止することができる。なお、図７においては、ビーター１３１がヘッド１０１を叩打した状態を二点鎖線で示している。
【符号の説明】
【００５９】
ＡＰ…叩打部分、ｔ…緩衝体の肉厚、
１００…電子バスドラム、１０１…ヘッド、１０１ａ…打面、１０１ｂ…裏面、１０２…ヘッド枠、１０３…シェル、１０４…シェルカバー、１０５…フープ、１０６…テンションボルト、１０７…ラグ、
１１０…内部支持ベース、１１１…ベース支持具、１１２…緩衝体、１１３…逃げ孔、１１３ａ…空洞部、１１４…振動センサ、１１５…クッション体、１１６…支持テーブル、１１６ａ…支持板、１１６ｂ…調整ボルト、
１２０…支持脚、
１３０…叩打機構、１３１…ビーター、１３１ａ…アーム、１３２…揺動支持板、１３２ａ…揺動軸、１３２ｂ…支持柱、１３３…ペダル、１３３ａ…ベース板、１３３ｂ…ベルト。
【図１】
2018084674.tif 000003
【図２】
2018084674.tif 000004
【図３】
2018084674.tif 000005
【図４】
2018084674.tif 000006
【図５】
2018084674.tif 000007
【図６】
2018084674.tif 000008
【図７】
2018084674.tif 000009
【手続補正書】
【提出日】平成30年1月26日(2018.1.26)
【手続補正１】
【補正対象書類名】特許請求の範囲
【補正対象項目名】請求項１
【補正方法】変更
【補正の内容】
【請求項１】
演奏者によって叩かれる打面を構成するヘッドと、
前記演奏者によるペダルの操作を介して前記打面を叩くビーターを有した叩打機構と、
前記打面の裏面側に同打面における前記ビーターが叩く叩打部分の周囲を囲んで同叩打部分に対向して空洞部を形成するように配置された緩衝体と、
前記ヘッドの振動を検出する振動センサとを備えたことを特徴とする電子バスドラム。
【手続補正２】
【補正対象書類名】明細書
【補正対象項目名】０００６
【補正方法】変更
【補正の内容】
【０００６】
上記目的を達成するため、本発明の特徴は、演奏者によって叩かれる打面を構成するヘッドと、演奏者によるペダルの操作を介して打面を叩くビーターを有した叩打機構と、打面の裏面側に同打面におけるビーターが叩く叩打部分の周囲を囲んで同叩打部分に対向して空洞部を形成するように配置された緩衝体と、ヘッドの振動を検出する振動センサとを備えたことにある。
【手続補正３】
【補正対象書類名】明細書
【補正対象項目名】００２６
【補正方法】変更
【補正の内容】
【００２６】
ヘッド枠１０２は、ヘッド１０１をシェル１０３上にテンションを張った状態で配置するために部品であり、金属材または樹脂材を環状に形成して構成されている。このヘッド枠１０２は、ヘッド１０１の外縁部を保持した状態でシェル１０３の外周部に嵌合した状態で環状の端面がフープ１０５によって押さえられている。
【手続補正４】
【補正対象書類名】明細書
【補正対象項目名】００２７
【補正方法】変更
【補正の内容】
【００２７】
シェル１０３は、ヘッド１０１、緩衝体１１２および振動センサ１１４をそれぞれ支持する部品であり、金属材、樹脂材または木材を円筒状に形成して構成されている。このシェル１０３は、一方（図示左側）の端部がヘッド１０１によって閉塞されているとともに、他方（図示右側）の端部がシェルカバー１０４によって閉塞されている。これにより、ヘッド１０１は、シェル１０３の外側に露出する面が打面１０１ａを構成するとともにシェル１０３の内側に面する面が裏面１０１ｂを構成する。
【手続補正５】
【補正対象書類名】明細書
【補正対象項目名】００２９
【補正方法】変更
【補正の内容】
【００２９】
フープ１０５は、ヘッド枠１０２の端面を押してヘッド１０１をシェル１０３上で張るための部品であり、金属材を円筒状に形成して構成されている。このフープ１０５は、一方（図示左側）の端部がヘッド１０１が張られたシェル１０３の端部から張り出すとともに、他方（図示右側）の端部がヘッド枠１０２の端面を押す円筒状に形成されている。そして、フープ１０５は、テンションボルト１０６を介してラグ１０７に取り付けられている。
【手続補正６】
【補正対象書類名】明細書
【補正対象項目名】００３０
【補正方法】変更
【補正の内容】
【００３０】
テンションボルト１０６は、フープ１０５をヘッド枠１０２の端面に押さえ付けるための部品であり、金属製の軸体の外周部に雄ネジが形成されたボルトで構成されている。このテンションボルト１０６は、フープ１０５の端部に引っ掛けられる引っ掛け部材１０６ａを貫通した状態でラグ１０７の雌ネジに締め付けられている。これにより、ヘッド１０１は、ヘッド枠１０２がラグ１０７側に引っ張られることによりシェル１０３の端部に押し付けられて平らな膜状に張られた状態となる。一方、シェル１０３の内部には、内部支持ベース１１０が設けられている。
【手続補正７】
【補正対象書類名】明細書
【補正対象項目名】００５９
【補正方法】変更
【補正の内容】
【００５９】
ＡＰ…叩打部分、ｔ…緩衝体の肉厚、
１００…電子バスドラム、１０１…ヘッド、１０１ａ…打面、１０１ｂ…裏面、１０２…ヘッド枠、１０３…シェル、１０４…シェルカバー、１０５…フープ、１０６…テンションボルト、１０６ａ…引っ掛け部材、１０７…ラグ、
１１０…内部支持ベース、１１１…ベース支持具、１１２…緩衝体、１１３…逃げ孔、１１３ａ…空洞部、１１４…振動センサ、１１５…クッション体、１１６…支持テーブル、１１６ａ…支持板、１１６ｂ…調整ボルト、
１２０…支持脚、
１３０…叩打機構、１３１…ビーター、１３１ａ…アーム、１３２…揺動支持板、１３２ａ…揺動軸、１３２ｂ…支持柱、１３３…ペダル、１３３ａ…ベース板、１３３ｂ…ベルト。
【手続補正８】
【補正対象書類名】図面
【補正対象項目名】図１
【補正方法】変更
【補正の内容】
【図１】
2018084674.tif 000010
【手続補正９】
【補正対象書類名】図面
【補正対象項目名】図３
【補正方法】変更
【補正の内容】
【図３】
2018084674.tif 000011
【手続補正１０】
【補正対象書類名】図面
【補正対象項目名】図４
【補正方法】変更
【補正の内容】
【図４】
2018084674.tif 000012
【手続補正１１】
【補正対象書類名】図面
【補正対象項目名】図６
【補正方法】変更
【補正の内容】
【図６】
2018084674.tif 000013
【手続補正１２】
【補正対象書類名】図面
【補正対象項目名】図７
【補正方法】変更
【補正の内容】
【図７】
2018084674.tif 000014